(57)【要約】【課題】ガス発生器における点火器の配置にかかわらず、均等なガス発生剤の燃焼を実現する。【解決手段】燃焼室に充填されたガス発生剤の群の中心から偏った位置に点火器が配置されたガス発生器において、ガス発生剤が充填されていない空間であるガス流通空間を形成する隔離部と、燃焼室とガス流通空間とを連通させる複数の連通部と、を備え、複数の連通部のうち一部の連通部が点火器の近位に配置されたガス発生剤の燃焼で生じる燃焼生成物をガス流通空間内に流入させることができるように構成され、且つ複数の連通部のうち他の連通部がガス流通空間を流通した燃焼生成物を点火器の遠位に配置されたガス発生剤に向かって流出させることができるように構成される。【選択図】図３Ａ
2019018826.tif 000002
【特許請求の範囲】
【請求項１】
点火器と、
前記点火器を収容しガス排出口を形成したハウジングであって、該点火器の作動により、燃焼可能となる位置に充填されたガス発生剤の燃焼が行われる燃焼室を有するハウジングと、を有し、
前記燃焼室に充填された前記ガス発生剤に対する前記点火器の相対位置が、前記ガス発生剤の群の中心から偏った位置となるように、該点火器が配置されたガス発生器において、
前記ガス発生剤の群の少なくとも一部を囲むことで、前記ハウジングにおいて前記ガス排出口が形成されていない所定部位との間に前記ガス発生剤が充填されていない空間であるガス流通空間を形成する隔離部と、
前記隔離部に設けられ、前記燃焼室と前記ガス流通空間とを連通させる複数の連通部と、を備え、
前記複数の連通部のうち一部の連通部が前記点火器の近位に配置された前記ガス発生剤の燃焼で生じる燃焼生成物を前記ガス流通空間内に流入させることができるように構成され、且つ該複数の連通部のうち他の連通部が該ガス流通空間を流通した燃焼生成物を前記点火器の遠位に配置された前記ガス発生剤に向かって流出させることができるように構成される、
ガス発生器。
【請求項２】
前記他の連通部は、前記点火器から遠位であるほどその開口面積が大きくなるように形成される、
請求項１に記載のガス発生器。
【請求項３】
前記ハウジングは、少なくとも２以上の部材が接合されて形成されたものであり、そのうちの２部材が所定の溶接部において溶接されて一体化され、該所定の溶接部は、前記ガス流通空間によって前記燃焼室と隔てられている、
請求項１又は請求項２に記載のガス発生器。
【請求項４】
前記ハウジングの内部に、前記燃焼室を上下に分割し、上側に位置する第１燃焼室と下側に位置する第２燃焼室とを形成する分割壁が設けられ、
前記ガス排出口は、前記第１燃焼室側の前記ハウジングに形成され、
前記ハウジングの底面に、前記第１燃焼室に充填された第１ガス発生剤を燃焼する第１点火器と、前記第２燃焼室に充填された第２ガス発生剤を燃焼する第２点火器とが配置され、
前記分割壁は、前記底面に配置された前記第１点火器を取り囲み前記第１燃焼室内に該第１点火器を収容する収容壁を含み、
前記隔離部は前記第２燃焼室内に配置され、前記第２ガス発生剤の群の少なくとも一部を囲むことで、該第２燃焼室側の前記ハウジングの内壁面との間に前記ガス流通空間を形成し、
前記一部の連通部が前記第２点火器の近位に配置された前記第２ガス発生剤の燃焼で生じる燃焼生成物を前記ガス流通空間内に流入させることができるように構成され、且つ前記他の連通部が該ガス流通空間を流通した燃焼生成物を前記第２点火器の遠位に配置された前記第２ガス発生剤に向かって流出させることができるように構成される、
請求項１又は請求項２に記載のガス発生器。
【請求項５】
前記第２ガス発生剤の燃焼速度は、前記第１ガス発生剤の燃焼速度よりも速い、
請求項４に記載のガス発生器。
【請求項６】
前記他の連通部は、前記第２点火器から遠位であるほどその開口面積が大きくなるように形成される、
請求項４又は請求項５に記載のガス発生器。
【発明の詳細な説明】
【技術分野】
【０００１】
本発明は、点火器の作動によりガス発生剤を燃焼させて燃焼ガスを発生させるガス発生器に関する。
【背景技術】
【０００２】
点火器の作動により燃焼室内に充填されたガス発生剤を燃焼させ、燃焼ガスを発生させるガス発生器においては、当該充填されたガス発生剤が所望するように燃焼しなければ、燃焼ガスを設計通りに発生させることが困難となる。一般には、ガス発生剤をむらなく燃焼させて設計通りに燃焼ガスを発生させるために、点火器を中心としてその周囲に均等にガス発生剤を配置させる。しかし、ガス発生器の構成により点火器に対してガス発生剤をその周囲に均等に配置させにくい場合がある。例えば、特許文献１に示すガス発生器では、その図３及び図４に示すように、点火器がガス発生器の中心軸に対して偏った位置に設けられており、該ガス発生器における該点火器が設けられた側とは反対側にガス発生剤が充填されている。このような構成において、点火器のハウジングに設けられた伝火孔を、ガス発生剤が充填された側へ向けることで、ガス発生剤の燃焼の促進が試みられている。
【０００３】
また、特許文献２には、丸型の外殻容器内の中央を含む領域に燃焼室が形成され、該燃焼室内に、点火器及びガス発生剤を含む点火／燃料ユニットを収容する収容容器が複数配置されたガス発生器が開示されている。このガス発生器では、複数の収容容器に含まれるそれぞれのガス発生剤は、それぞれに対応する点火器によって独立して燃焼される。このようなガス発生器では、それぞれの点火器が外殻容器の中心軸に対して偏った位置に設けられるものの、それぞれの収容容器内でみれば、点火器を中心としてその周囲に略均等にガス発生剤が配置されている。なお、上記のガス発生器では、燃焼室の周囲に環状のフィルタ室が形成されているとともに、該フィルタ室を構成する外壁に出口開口が形成されており、フィルタ室のガスは、該出口開口からガス発生器の外部に放出される。
【先行技術文献】
【特許文献】
【０００４】
【特許文献１】米国特許出願公開第２００７／０００１４３７号明細書
【特許文献２】特開平０９−１８３３５９号公報
【発明の概要】
【発明が解決しようとする課題】
【０００５】
ガス発生器において点火器の作動により燃焼室に充填されたガス発生剤を燃焼させる場合、ガス発生剤のむらの無い燃焼のためには、点火器を中心としてその周囲にガス発生剤を均等に配置するのが好ましい。しかし、ガス発生器の構造によっては、そのように点火器をガス発生剤に対してその均等な燃焼に適した位置に配置することが困難な場合がある。例えば、ガス発生器の形状や寸法の制限から、点火器の配置がガス発生剤に対して偏った位置にせざるを得ない場合がある。
【０００６】
上記のガス発生器で採用された構成は、点火器のハウジングに設けられた伝火孔をガス発生剤に向ける構成であり、点火器の配置がガス発生剤の均等な燃焼に適した位置からずれている場合に、ガス発生剤の均等燃焼を実現させるにはまだ改良の余地がある。
【０００７】
本発明は、上記した問題に鑑み、ガス発生器における点火器の配置にかかわらず、均等なガス発生剤の燃焼を可能とする技術を提供することを目的とする。
【課題を解決するための手段】
【０００８】
上記課題を解決するために、本発明は、ガス発生器のハウジング内に、ガス発生剤が充填された燃焼室と、ガス発生剤が充填されていないガス流通空間と、を形成した。そして、燃焼室とガス流通空間とを連通させる複数の連通部のうち一部の連通部によって、点火器の近位に配置されたガス発生剤の燃焼で生じる燃焼生成物が該ガス流通空間内に流入され、該複数の連通部のうち他の連通部によって、該ガス流通空間を流通した燃焼生成物が点火器の遠位に配置されたガス発生剤に向かって流出されるように、ガス発生器を構成した。このような構成により、ガス発生器における点火器の配置にかかわらず、均等なガス発生剤の燃焼を図ることが可能となる。
【０００９】
具体的には、本発明は、点火器と、前記点火器を収容しガス排出口を形成したハウジングであって、該点火器の作動により、燃焼可能となる位置に充填されたガス発生剤の燃焼が行われる燃焼室を有するハウジングと、を有し、前記燃焼室に充填された前記ガス発生剤に対する前記点火器の相対位置が、前記ガス発生剤の群の中心から偏った位置となるように、該点火器が配置されたガス発生器において、前記ガス発生剤の群の少なくとも一部を囲むことで、前記ハウジングにおいて前記ガス排出口が形成されていない所定部位との間に前記ガス発生剤が充填されていない空間であるガス流通空間を形成する隔離部と、前記隔離部に設けられ、前記燃焼室と前記ガス流通空間とを連通させる複数の連通部と、を備える。そして、前記複数の連通部のうち一部の連通部が前記点火器の近位に配置された前記ガス発生剤の燃焼で生じる燃焼生成物を前記ガス流通空間内に流入させることができるように構成され、且つ該複数の連通部のうち他の連通部が該ガス流通空間を流通した燃焼生成物を前記点火器の遠位に配置された前記ガス発生剤に向かって流出させることができるように構成される。
【００１０】
このようなガス発生器において、点火器が作動すると、先ず、該点火器の近位に配置されたガス発生剤が燃焼される。そうすると、燃焼室内における点火器の近位において、燃焼生成物が生じることになる。そして、点火器の近位で生じた燃焼生成物は、その後、燃焼室内を広がるだけでなく、複数の連通部のうち一部の連通部を介してガス流通空間にも広がる。ここで、上述したように、ガス流通空間にはガス発生剤が充填されていない。そのため、ガス流通空間は、ガス発生剤が充填されている燃焼室と比べて、燃焼生成物が拡散し易い状態にあるといえる。したがって、点火器の近位で生じた燃焼生成物は、ガス流通空間を流通する場合には燃焼室内を流通する場合よりも、速やかに点火器から遠位に拡散し得る。つまり、点火器の近位で生じた燃焼生成物は、複数の連通部のうち一部の連通部からガス流通空間に流入し、該ガス流通空間を流通した後、複数の連通部のうち他の連通部から燃焼室に流出することによって、可及的速やかに点火器の遠位に配置されたガス発生剤に到達し得る。その結果、点火器の近位に配置されたガス発生剤だけでなく、点火器の遠位に配置されたガス発生剤も比較的短時間で燃焼される。
【００１１】
なお、上記のガス発生器が備える隔離部は、ハウジングにおいてガス排出口が形成されていない所定部位との間にガス流通空間を形成する。つまり、ガス流通空間は、複数の連通部を介して燃焼室へ繋がっている空間であって、ハウジングに形成されたガス排出口とは直接繋がっていない。したがって、ガス流通空間を流通した燃焼生成物は、更に燃焼室を流通した後に、最終的にガス排出口から排出されることになる。これにより、ガス流通空間を流通した燃焼生成物は、点火器の遠位に配置されたガス発生剤に効率よく導かれる。
【００１２】
以上に述べた構成を採用することで、ガス発生剤に対する点火器の相対位置がガス発生剤の群の中心から偏った位置となっていても、点火器の遠位に配置されたガス発生剤を比較的短時間で燃焼させることができる。つまり、ハウジングでの点火器の配置にかかわらず、均等なガス発生剤の燃焼を図ることが可能となる。その結果、好適な燃焼ガス生成能
力を発揮することができる。
【００１３】
ここで、上記のガス発生器において、前記他の連通部は、前記点火器から遠位であるほどその開口面積が大きくなるように形成されてもよい。この場合には、他の連通部は、点火器から遠位であるほど、燃焼生成物が燃焼室に入り込み易くなるように構成されている。その結果、ガス発生剤は、その配置が点火器から遠位であっても、他の連通部を介してガス流通空間からガス発生剤に向かって流出する燃焼生成物によって好適に燃焼され易くなる。これにより、燃焼室において、より均等なガス発生剤の燃焼を図ることが可能となる。
【００１４】
そして、上記のガス発生器において、前記ハウジングは、少なくとも２以上の部材が接合されて形成されたものであり、そのうちの２部材が所定の溶接部において溶接されて一体化され、該所定の溶接部は、前記ガス流通空間によって前記燃焼室と隔てられていてもよい。このような構成によれば、ハウジングが一体化される際に所定の溶接部に加えられる溶接の熱がハウジングの内部に移動していく事態が、ガス流通空間によって緩和される。つまり、ハウジング内部の燃焼室への溶接熱の伝熱が、ガス流通空間によって抑制される。これにより、燃焼室に充填されたガス発生剤が、溶接熱によって意図せず燃焼してしまうことを抑制することができる。そして、このようなガス発生器では、上述したように均等なガス発生剤の燃焼を図ることができるだけでなく、ガス発生器を組み立てるときの安全性が好適に確保される。
【００１５】
上述までのガス発生器において、前記ハウジングの内部に、前記燃焼室を上下に分割し、上側に位置する第１燃焼室と下側に位置する第２燃焼室とを形成する分割壁が設けられ、前記ガス排出口は、前記第１燃焼室側の前記ハウジングに形成され、前記ハウジングの底面に、前記第１燃焼室に充填された第１ガス発生剤を燃焼する第１点火器と、前記第２燃焼室に充填された第２ガス発生剤を燃焼する第２点火器とが配置され、前記分割壁は、前記底面に配置された前記第１点火器を取り囲み前記第１燃焼室内に該第１点火器を収容する収容壁を含み、前記隔離部は前記第２燃焼室内に配置され、前記第２ガス発生剤の群の少なくとも一部を囲むことで、該第２燃焼室側の前記ハウジングの内壁面との間に前記ガス流通空間を形成し、前記一部の連通部が前記第２点火器の近位に配置された前記第２ガス発生剤の燃焼で生じる燃焼生成物を前記ガス流通空間内に流入させることができるように構成され、且つ前記他の連通部が該ガス流通空間を流通した燃焼生成物を前記第２点火器の遠位に配置された前記第２ガス発生剤に向かって流出させることができるように構成されてもよい。
【００１６】
このようなガス発生器は、第１点火器の作動による第１ガス発生剤の燃焼と、第２点火器の作動による第２ガス発生剤の燃焼とによって、外部への燃焼ガスの放出の形態を多様に調整することができる。また、このようなガス発生器は、比較的多量の燃焼ガスを生成し、外部に放出することができる。このガス発生器において、ハウジング頂面側の空間には第１燃焼室が設けられ、ハウジング底面側の空間には２つの点火器と第２燃焼室が設けられている。そして、収容壁が、ハウジング底面に配置された第１点火器を取り囲むことによって、ハウジング底面側の空間（該空間には、第２燃焼室が形成されている）にも第１燃焼室が延出している。このように構成されたガス発生器では、第２点火器の周囲に第２ガス発生剤を均等に配置することができなくなる。そのため、第２ガス発生剤の燃焼にむらが生じ易くなる。そこで、上記のガス発生器が備える隔離部は、第２ガス発生剤の群の少なくとも一部を囲むことで、第２燃焼室側のハウジングの内壁面との間にガス流通空間を形成する。その結果、第２点火器の近位で生じた燃焼生成物は、複数の連通部のうち一部の連通部からガス流通空間に流入し、該ガス流通空間を流通した後、複数の連通部のうち他の連通部から、第２点火器の遠位に配置された第２ガス発生剤に向かって流出する。これにより、第２点火器の遠位に配置された第２ガス発生剤も比較的短時間で燃焼され
る。つまり、ハウジング内部に燃焼室を上下に分割する分割壁が設けられ、且つハウジング底面に２つの点火器が配置されるように構成されたガス発生器においても、均等なガス発生剤の燃焼を図ることが可能となる。その結果、好適な燃焼ガス生成能力を発揮することができる。
【００１７】
ここで、上記のガス発生器は、前記第２ガス発生剤の燃焼速度が前記第１ガス発生剤の燃焼速度よりも速くなるように構成されてもよい。上記のガス発生器では、ガス排出口が第１燃焼室側のハウジングに形成されるため、第２ガス発生剤の燃焼で生じる燃焼生成物は、第１燃焼室を経由して最終的にガス排出口から排出される。そして、このように、第２ガス発生剤の燃焼で生じる燃焼生成物が第１燃焼室に流入することによって、第１ガス発生剤が燃焼され易くなる。更に、上述の構成によれば、第２ガス発生剤は、その燃焼が開始されると比較的速やかに燃焼生成物を発生させる。したがって、上記のガス発生器では、第２ガス発生剤の燃焼で生じる燃焼生成物が、第１ガス発生剤の燃焼に効率よく利用される。これにより、好適な燃焼ガス生成能力を発揮することができる。
【００１８】
更に、上記のガス発生器において、前記他の連通部は、前記第２点火器から遠位であるほどその開口面積が大きくなるように形成されてもよい。このような構成によれば、第２ガス発生剤は、その配置が第２点火器から遠位であるほど、ガス流通空間を流通した燃焼生成物によって燃焼され易くなる。これにより、より均等なガス発生剤の燃焼を図ることが可能となる。
【発明の効果】
【００１９】
本発明によれば、ガス発生器における点火器の配置にかかわらず、均等なガス発生剤の燃焼が可能となる。
【図面の簡単な説明】
【００２０】
【図１】本発明のガス発生器の概略構成を示す第１の図である。
【図２】図１に示すガス発生器に適用されるＯ形隔離部材の概略構成を示す図である。
【図３Ａ】図１に示すガス発生器において、第２ガス発生剤の燃焼で生じる燃焼生成物が、第２燃焼室とガス流通空間との間で移動する様子を示す第１の図である。
【図３Ｂ】図１に示すガス発生器において、第２ガス発生剤の燃焼で生じる燃焼生成物が、第２燃焼室とガス流通空間との間で移動する様子を示す第２の図である。
【図４】本発明の実施例１の第１の変形例において、第２ガス発生剤の燃焼で生じる燃焼生成物が、第２燃焼室とガス流通空間との間で移動する様子を示す図である。
【図５】本発明の実施例１の第２の変形例に係るＣ形隔離部材の概略構成を示す図である。
【図６】図５に示すＣ形隔離部材が適用されたガス発生器において、第２ガス発生剤の燃焼で生じる燃焼生成物が、第２燃焼室とガス流通空間との間で移動する様子を示す図である。
【図７】本発明のガス発生器の概略構成を示す第２の図である。
【図８】図７に示すガス発生器において、ガス発生剤の燃焼で生じる燃焼生成物が、燃焼室とガス流通空間との間で移動する様子を示す図である。
【図９】本発明の実施例２の変形例に係るカップ形隔離部材が適用されたガス発生器の概略構成を示す図である。
【図１０】本発明の実施例２の変形例に係るカップ形隔離部材の概略構成を示す図である。
【図１１】図９に示すガス発生器において、ガス発生剤の燃焼で生じる燃焼生成物が、燃焼室とガス流通空間との間で移動する様子を示す図である。
【発明を実施するための形態】
【００２１】
以下に、図面を参照して本発明の実施形態に係るガス発生器について説明する。なお、以下の実施形態の構成は例示であり、本発明はこれらの実施の形態の構成に限定されるものではない。
【００２２】
＜実施例１＞
図１は、ガス発生器１の高さ方向の断面図である。図１中のＺ０は、ガス発生器１の高さ方向（軸方向）の中心軸を表している。ガス発生器１は、上部シェル２及び下部シェル３で形成されるハウジング４内に充填されたガス発生剤を燃焼させて、燃焼ガスを放出するように構成されている。そして、ガス発生器１は、後述するように２つの燃焼室が上下に配置され、各燃焼室に、対応する点火器及びガス発生剤を配置した、いわゆるデュアルタイプのガス発生器である。ここで、上部シェル２は周壁部２ｃと頂面部２ｄを有し、これらにより凹状の内部空間を形成する。当該内部空間は、第１ガス発生剤２２が充填される第１燃焼室２１となる。そして、頂面部２ｄは、後述の下部シェル３の底面部３ｂとともに、上面視で概ね円形状を有しており、周壁部２ｃ及び後述の下部シェル３の周壁部３ａは、それぞれ頂面部２ｄ、底面部３ｂの周囲を囲み、各面部から概ね垂直に延在した環状の壁面を形成している。周壁部２ｃの一端側に頂面部２ｄが接続し、その他端側は上部シェル２の開口部となる。そして、周壁部２ｃの当該他端側には、当該開口部から順に、嵌合壁部２ａ、突き当て部２ｂが設けられている。嵌合壁部２ａによる内部空間の半径は、頂面部２ｄ寄りの周壁部２ｃによる内部空間の半径より大きく形成され、嵌合壁部２ａは、突き当て部２ｂを介して周壁部２ｃへと繋がっている。
【００２３】
また、下部シェル３は周壁部３ａと底面部３ｂを有し、これらにより凹状の内部空間を形成する。当該内部空間は、第２ガス発生剤２６が充填される第２燃焼室２５となる。周壁部３ａの一端側に底面部３ｂが接続し、その他端側は下部シェル３の開口部となる。そして、周壁部３ａによる内部空間の半径は、上部シェル２の周壁部２ｃによる内部空間の半径と概ね同じである。下部シェル３の底面部３ｂには、第１点火器２３と第２点火器２７がそれぞれ固定される孔が設けられている。
【００２４】
更に、ハウジング４内には、上部シェル２と下部シェル３との間に分割壁１０が配置されている。分割壁１０は、終端部１５と、その終端部１５に繋がりハウジング４内を概ね上下の空間に分割する分割壁部１４と、分割壁部１４に繋がり後述する収容壁部材（収容壁）１６に沿って延在する周壁部１３と、収容壁部材１６の開口部を一部覆うように配置される端部１２を有する。なお、端部１２は、貫通孔１１を形成している。また、下部シェル３の底面部３ｂに取り付けられた第１点火器２３の周囲を、その高さ方向に囲むように、筒状の収容壁部材１６が底面部３ｂに設けられている。この収容壁部材１６の上方の開口部は、上記分割壁１０の端部１２によって覆われている。また、収容壁部材１６には貫通孔１７が設けられており、貫通孔１７は、分割壁１０により分割されて形成される２つの空間（第１燃焼室２１と第２燃焼室２５）を連通する。
【００２５】
そして、このように下部シェル３上に分割壁１０が取り付けられた状態で、上方より上部シェル２が更に取り付けられる。上記の通り、上部シェル２の嵌合壁部２ａによる内部空間の半径は、周壁部２ｃによる内部空間の半径より大きく形成されているため、上部シェル２は、その突き当て部２ｂが分割壁１０の終端部１５に突き当てられるまで、下部シェル３に対して嵌め込まれる。なお、ハウジング４において、上部シェル２と下部シェル３の嵌合部位や接触部位は、内部に充填されるガス発生剤の防湿等のために好適な接合方法（例えば、溶接等）により接合される。
【００２６】
このようにハウジング４においては、分割壁１０によってその内部空間が概ね上下に２つの空間に分割されることになる。ハウジング４の内部空間のうち上部シェル２と分割壁
１０によって画定される第１燃焼室２１には、第１点火器２３、第１ガス発生剤２２が配置され、下部シェル３と分割壁１０によって画定される第２燃焼室２５には、第２点火器２７、第２ガス発生剤２６が配置されることで、ガス発生器１は２つの第１点火器２３、第２点火器２７を備えるデュアルタイプのガス発生器として構成されている。なお、第１点火器２３と第２点火器２７はともに下部シェル３の底面部３ｂ上に固定されており、そのため、第１点火器２３は、第１点火器２３の側方が収容壁部材１６に囲まれた状態となっている。
【００２７】
ここで、第１燃焼室２１では、収容壁部材１６の内部空間（収容壁部材１６と、下部シェル３の底面部３ｂと、によって画定される空間であって、上方に開口している空間）には第１点火器２３が収容され、その上方の空間に第１ガス発生剤２２が充填されることになるが、その第１ガス発生剤２２を取り囲むように環状のフィルタ３２が配置されている。このとき第１ガス発生剤２２は、第１燃焼室２１内で不要に振動しないようにクッション３１の付勢力によりフィルタ３２、分割壁部１４等に抑えつけられた状態で充填されている。第１ガス発生剤２２は、比較的燃焼温度の低いガス発生剤を使用している。第１ガス発生剤２２の燃焼温度は、１０００〜１７００℃の範囲にあることが望ましく、例えば、硝酸グアニジン（４１重量％）、塩基性硝酸銅（４９重量％）及びバインダーや添加物からなる、単孔円柱状のものを用いることができる。なお、第１ガス発生剤２２への着火性を向上させるため、ガス発生器１は、収容壁部材１６の内部空間に、燃焼温度が比較的高い所定のガス発生剤（例えば、ニトログアニジンと硝酸ストロンチウムを含む組成からなるガス発生剤）を含んでいてもよい。
【００２８】
なお、フィルタ３２は、ステンレス鋼製平編の金網を半径方向に重ね、半径方向及び軸方向に圧縮して形成されており、第１ガス発生剤２２による燃焼ガスを冷却し、その燃焼残渣を捕集する。フィルタ３２として、その他に針金を心棒に多層に巻いて形成された巻線タイプの構造のものを採用してもよい。なお、フィルタ３２は、第２燃焼室２５に充填された第２ガス発生剤２６の燃焼残渣も捕集する。また、上部シェル２の周壁部２ｃとフィルタ３２との間に形成された間隙３３により、フィルタ３２の周囲に半径方向断面に環状のガス通路が形成される。この間隙３３により、燃焼ガスはフィルタ３２の全領域を通過し、フィルタ３２の有効利用と燃焼ガスの効果的な冷却・浄化が達成される。間隙３３を流れる燃焼ガスは、周壁部２ｃに設けられたガス排出口５に至る。また、ハウジング４内に外部より湿気が侵入するのを阻止するために、ガス発生器１の作動前では、アルミニウムテープ３４によりガス排出口５がハウジング４の内部から塞がれている。
【００２９】
また、第２燃焼室２５では、下部シェル３の底面部３ｂに固定された第２点火器２７に対応して、第２ガス発生剤２６が充填されている。そして、第２ガス発生剤２６も、第２燃焼室２５内で不要に振動しないように図示しない緩衝部材によって付勢された状態で充填されている。また、第２ガス発生剤２６にも、第１ガス発生剤２２と同様に、硝酸グアニジン（４１重量％）、塩基性硝酸銅（４９重量％）及びバインダーや添加物からなる、単孔円柱状のものを用いることができる。
【００３０】
このような構成により、ガス発生器１では、第１点火器２３の作動による第１ガス発生剤２２の燃焼と、第２点火器２７の作動による第２ガス発生剤２６の燃焼とによって、外部への燃焼ガスの放出の形態を多様に調整することができる。また、比較的多量の燃焼ガスを生成し、外部に放出することができる。しかし、デュアルタイプのガス発生器１では、図１に示すように、下部シェル３により形成される凹状の内部空間に第１点火器２３及び第２点火器２７が配置され、且つ該第１点火器２３を囲むように第１燃焼室２１が該内部空間に延出している。そのため、第２点火器２７の周囲に第２ガス発生剤２６を均等に配置することができなくなる。その結果、ガス発生剤の燃焼にむらが生じ、ガス発生器１の出力特性が想定通りのものからずれる虞がある。
【００３１】
そこで、ガス発生器１においては、第２燃焼室２５内にＯ形隔離部材４１が配置される。このＯ形隔離部材４１は、第２ガス発生剤２６の群を囲むことで、下部シェル３の内壁面３ｃとの間にガス発生剤が充填されていない空間であるガス流通空間４２を形成する。詳しくは、Ｏ形隔離部材４１は、図２に示すようなリング状の部材であって、鍔部４１ａ、下端部４１ｂ、及び周壁部４１ｃを有している。そして、鍔部４１ａ及び下端部４１ｂが下部シェル３の内壁面３ｃと当接するように、Ｏ形隔離部材４１が下部シェル３により形成される凹状の内部空間に配置されることによって、Ｏ形隔離部材４１と下部シェル３の内壁面３ｃとの間に環状のガス流通空間４２が形成される。このガス流通空間４２は、Ｏ形隔離部材４１によって第２燃焼室２５から隔離された空間であって、該ガス流通空間４２は、後述する連通孔のみによって第２燃焼室２５と連通している。
【００３２】
そして、Ｏ形隔離部材４１には、該Ｏ形隔離部材４１が第２燃焼室２５内に配置された状態で第２燃焼室２５とガス流通空間４２とを連通させる連通孔が形成されている。この連通孔は、図２に示すように、Ｏ形隔離部材４１の周方向の全周に亘って複数形成されており、以下これら連通孔をまとめて「複数の連通孔４３」と称する。なお、本実施例では、孔によって第２燃焼室２５とガス流通空間４２とが連通せしめられるが、これに限定する意図はなく、例えばスリットによって第２燃焼室２５とガス流通空間４２とが連通せしめられてもよい。
【００３３】
このように構成されたガス発生器１では、複数の連通孔４３のうち一部の連通孔によって、第２点火器２７の近位に配置された第２ガス発生剤２６の燃焼で生じる燃焼ガス等の燃焼生成物の一部がガス流通空間４２内に流入せしめられる。そして、複数の連通孔４３のうち他の連通孔によって、ガス流通空間４２を流通した燃焼生成物が第２点火器２７の遠位に配置された第２ガス発生剤２６に向かって流出せしめられる。これにより、均等なガス発生剤の燃焼を図ることが可能となる。これについて、以下に詳しく説明する。
【００３４】
図３Ａ及び図３Ｂは、第２ガス発生剤２６の燃焼で生じる燃焼ガス等の燃焼生成物の一部が、第２燃焼室２５とガス流通空間４２との間で移動する様子を示す図であって、該燃焼生成物の流れが矢印Ｃ１、Ｃ２、及びＣ３によって表されている。なお、図３Ａは、ガス発生器１の高さ方向の断面図であって、図３Ｂは、図３ＡのＡ−Ａ線に沿ったガス発生器１の断面図（横断面図）である。そして、この図３Ａ及び図３Ｂに基づいて、本実施例に係るガス発生器１における第２ガス発生剤２６の燃焼過程について説明する。
【００３５】
第２点火器２７が作動すると、先ず、該第２点火器２７の近位に配置された第２ガス発生剤２６ａが燃焼される。そうすると、第２燃焼室２５内における第２点火器２７の近位において、第２ガス発生剤２６ａの燃焼による燃焼生成物が生じることになる。この燃焼生成物は、その後、第２燃焼室２５内を広がるだけでなく、複数の連通孔４３のうち一部の連通孔を介してガス流通空間４２にも広がる。ここで、図３Ａ及び図３Ｂにおいて、第２燃焼室２５からガス流通空間４２に流入する燃焼生成物の流れが矢印Ｃ１によって表される。そして、図３Ｂの矢印Ｃ１に示されるように、燃焼生成物の第２燃焼室２５からガス流通空間４２への流入は、複数の連通孔４３のうち第２点火器２７の比較的近位の連通孔を介して行われる。以下、複数の連通孔４３のうち燃焼生成物が第２燃焼室２５からガス流通空間４２に流通する連通孔を「流入孔４３ａ」と称する。なお、図３Ａ及び図３Ｂによって示される燃焼生成物の移動形態は、あくまで本発明の実施形態の一例である。
【００３６】
そして、ガス流通空間４２に流入した燃焼生成物は、図３Ｂの矢印Ｃ３に示されるように、ガス流通空間４２内を流通する。ここで、ガス流通空間４２にはガス発生剤が充填されていない。そのため、第２ガス発生剤２６が密に充填され、該充填された第２ガス発生剤２６により燃焼生成物の流れが妨げられる第２燃焼室２５と比べて、ガス流通空間４２
は、燃焼生成物が拡散し易い状態にある。したがって、第２点火器２７の近位で生じた燃焼生成物は、その一部がガス流通空間４２を流通する場合（これは、図３Ａ及び図３Ｂの矢印Ｃ１、Ｃ２、Ｃ３によって表される。）には第２燃焼室２５内を流通する場合（これは、図３Ａの矢印Ｃ４によって表される。）よりも、速やかに第２点火器２７から遠位に拡散し得る。そして、ガス流通空間４２を流通した燃焼生成物は、図３Ｂの矢印Ｃ２に示されるように、複数の連通孔４３のうち第２点火器２７の比較的遠位の連通孔（以下、「流出孔４３ｂ」と称する。）から第２燃焼室２５に流出する。つまり、流入孔４３ａを介してガス流通空間４２に流入し該ガス流通空間４２を流通した燃焼生成物が、流出孔４３ｂを介して第２点火器２７の遠位に配置された第２ガス発生剤２６に向かって流出する。これにより、第２点火器２７の近位で生じた燃焼生成物の一部が、可及的速やかに第２点火器２７の遠位に配置された第２ガス発生剤２６に到達し得る。その結果、第２点火器２７の近位に配置された第２ガス発生剤２６だけでなく、第２点火器２７の遠位に配置された第２ガス発生剤２６も比較的短時間で燃焼される。
【００３７】
更に、上述したように、ガス発生器１のガス排出口５が上部シェル２の周壁部２ｃに設けられており、Ｏ形隔離部材４１とともにガス流通空間４２を形成する下部シェル３の内壁面３ｃには、燃焼ガスを外部に放出する開口が設けられていない。そのため、ガス流通空間４２を流通した燃焼生成物は、更に、第２燃焼室２５、第１燃焼室２１、及び間隙３３を流通した後にガス排出口５から排出されることになる。したがって、ガス流通空間４２を流通した燃焼生成物は、第２点火器２７の遠位に配置された第２ガス発生剤２６に効率よく導かれる。
【００３８】
以上に述べたガス発生器１において、ハウジング４は、上部シェル２と下部シェル３とが溶接によって一体化されてもよい。この場合、上部シェル２と下部シェル３との溶接は、図１に例示される所定の溶接部４ａに対して行われる。所定の溶接部４ａは、上部シェル２の嵌合壁部２ａが下部シェル３の周壁部３ａに対して嵌め込まれている部位であって、且つ該下部シェル３の周壁部３ａにおける嵌合壁部２ａ側とは反対側でガス流通空間４２が形成されている部位である。このような構成によれば、第２燃焼室２５への溶接熱の伝熱が、ガス流通空間４２によって抑制される。これにより、第２燃焼室２５に充填された第２ガス発生剤２６が、溶接熱によって意図せず燃焼してしまうことを抑制することができる。
【００３９】
また、上述のガス発生器１は、第２ガス発生剤２６の燃焼速度が第１ガス発生剤２２の燃焼速度よりも速くなるように構成されてもよい。この場合、単孔円柱状のガス発生剤において、例えば、第２ガス発生剤２６の粒径が、第１ガス発生剤２２の粒径よりも小さくされる。または、例えば、第２ガス発生剤２６に公知の燃焼促進剤を加えることもできる。このような構成によれば、第２ガス発生剤２６は、その燃焼が開始されると比較的速やかに燃焼生成物を発生させる。したがって、このようなガス発生器１では、第２ガス発生剤２６の燃焼で生じる燃焼生成物が、第１ガス発生剤２２の燃焼に効率よく利用される。
【００４０】
以上に述べたガス発生器１によれば、第２点火器２７の遠位に配置された第２ガス発生剤２６も比較的短時間で燃焼させることができる。これにより、均等なガス発生剤の燃焼を図ることが可能となる。その結果、ガス発生器１は、好適な燃焼ガス生成能力を発揮することができる。
【００４１】
＜実施例１の第１の変形例＞
次に、上述した実施例１の第１の変形例について、図４に基づいて説明する。なお、本変形例において、上述した実施例１と実質的に同一の構成については、その詳細な説明を省略する。図４は、上記の図３Ｂに対応する図であって、本変形例において、第２ガス発生剤２６の燃焼で生じる燃焼ガス等の燃焼生成物の一部が、第２燃焼室２５とガス流通空
間４２との間で移動する様子を示す図（ガス発生器１の横断面図）である。なお、図４に示す矢印Ｃ１、Ｃ２、及びＣ３は、上記の図３Ｂの説明で述べたとおりである。
【００４２】
本変形例に係るガス発生器１では、第２燃焼室２５内にＯ形隔離部材４１０が配置される。このＯ形隔離部材４１０は、上述したＯ形隔離部材４１と同様に構成されており、該Ｏ形隔離部材４１０が第２燃焼室２５内に配置された状態で第２燃焼室２５とガス流通空間４２とを連通させる複数の連通孔が形成されている。ここで、第２点火器２７の比較的近位の連通孔であって、燃焼生成物が第２燃焼室２５からガス流通空間４２に流入する連通孔を流入孔４３０ａとし、第２点火器２７の比較的遠位の連通孔であって、ガス流通空間４２を流通した燃焼生成物が第２燃焼室２５に流出する連通孔を流出孔４３０ｂとすると、流出孔４３０ｂは、第２点火器２７から遠位であるほどその孔が大きくなっている。言い換えれば、流出孔４３０ｂは、第２点火器２７から遠位であるほどその開口面積が大きくなるように形成されている。
【００４３】
詳しくは、流出孔４３０ｂのうち第２点火器２７の比較的遠位の流出孔（これは、図４において、流出孔４３２ｂとして表される。）を介して第２ガス発生剤２６に向かって流出する燃焼生成物（これは、図４において、矢印Ｃ２２によって表される。）の流量が、流出孔４３０ｂのうち第２点火器２７の比較的近位の流出孔（これは、図４において、流出孔４３１ｂとして表される。）を介して第２ガス発生剤２６に向かって流出する燃焼生成物（これは、図４において、矢印Ｃ２１によって表される。）の流量よりも多くなるように、流出孔４３０ｂが形成されている。あるいは、ガス流通空間４２を流れる燃焼生成物の流量は、第２点火器２７から遠位であるほど少なくなることに鑑み、流出孔４３１ｂを通過する燃焼生成物の量と流出孔４３２ｂを通過する燃焼生成物の量とがほぼ均等になるように、流出孔４３０ｂが形成されている。これらの結果、第２ガス発生剤２６は、その配置が第２点火器２７から遠位であっても、流出孔４３０ｂを介してガス流通空間４２から第２ガス発生剤２６に向かって流出する燃焼生成物によって好適に燃焼され易くなる。これにより、より均等なガス発生剤の燃焼を図ることが可能となる。
【００４４】
＜実施例１の第２の変形例＞
次に、上述した実施例１の第２の変形例について、図５及び図６に基づいて説明する。なお、本変形例において、上述した実施例１と実質的に同一の構成については、その詳細な説明を省略する。図５は、本変形例に係るＣ形隔離部材４１００の概略構成を示す図である。このＣ形隔離部材４１００は、上記の図２に示したリング状のＯ形隔離部材４１を切断したＣ形状となっている。
【００４５】
そして、第２燃焼室２５内にＣ形隔離部材４１００が配置される。このＣ形隔離部材４１００は、第２ガス発生剤２６の群の一部を囲むことで、下部シェル３の内壁面３ｃとの間にガス流通空間４２を形成する。詳しくは、Ｃ形隔離部材４１００は、図５に示すように、鍔部４１００ａ、下端部４１００ｂ、周壁部４１００ｃ、及び側端部４１００ｄを有している。そして、鍔部４１００ａ及び下端部４１００ｂが下部シェル３の内壁面３ｃと当接するように、Ｃ形隔離部材４１００が下部シェル３により形成される凹状の内部空間に配置されることによって、Ｃ形隔離部材４１００と下部シェル３の内壁面３ｃとの間にガス流通空間４２が形成される。なお、Ｃ形隔離部材４１００には、該Ｃ形隔離部材４１００が第２燃焼室２５内に配置された状態で第２燃焼室２５とガス流通空間４２とを連通させる複数の連通孔４３００が形成されている。
【００４６】
また、図６は、上記の図３Ｂに対応する図であって、本変形例において、第２ガス発生剤２６の燃焼で生じる燃焼ガス等の燃焼生成物の一部が、第２燃焼室２５とガス流通空間４２との間で移動する様子を示す図（ガス発生器１の横断面図）である。第２点火器２７の近位で生じた燃焼生成物の一部は、図６の矢印Ｃ１に示されるように、複数の連通孔４
３００のうち第２点火器２７の比較的近位の連通孔（以下、「流入孔４３００ａ」と称する。）を介してガス流通空間４２に流入する。そして、ガス流通空間４２を流通する燃焼生成物（これは、図６において、矢印Ｃ３によって表される。）は、図６の矢印Ｃ２に示されるように、複数の連通孔４３００のうち第２点火器２７の比較的遠位の連通孔（以下、「流出孔４３００ｂ」と称する。）から第２燃焼室２５に流出する。また、図６の矢印Ｃ２０に示されるように、Ｃ形隔離部材４１００に設けられた側端部４１００ｄと下部シェル３の内壁面３ｃとによって画定される開口部４３００ｃから第２燃焼室２５に流出する。
【００４７】
そして、流入孔４３００ａを介してガス流通空間４２に流入し該ガス流通空間４２を流通した燃焼生成物が、流出孔４３００ｂ及び開口部４３００ｃを介して第２点火器２７の遠位に配置された第２ガス発生剤２６に向かって流出することによって、第２点火器２７の近位で生じた燃焼生成物の一部が、可及的速やかに第２点火器２７の遠位に配置された第２ガス発生剤２６に到達し得る。その結果、第２点火器２７の遠位に配置された第２ガス発生剤２６も比較的短時間で燃焼される。このように、Ｃ形隔離部材４１００が、第２ガス発生剤２６の群の全体ではなく一部を囲むことによっても、上述した燃焼生成物の流れを形成することができ、以て、本発明の効果を発揮する。
【００４８】
＜実施例２＞
次に、本発明の第２の実施例について、図７及び図８に基づいて説明する。なお、本実施例において、上述した実施例１と実質的に同一の構成については、その詳細な説明を省略する。図７は、ガス発生器１００の高さ方向の断面図である。なお、図７中のＺ０は、ガス発生器１００の高さ方向（軸方向）の中心軸を表している。
【００４９】
ガス発生器１００は、上部シェル１０２及び下部シェル１０３で形成されるハウジング１０４内に充填されたガス発生剤を燃焼させて、燃焼ガスを放出するように構成されている。なお、上部シェル１０２は、嵌合壁部１０２ａ、突き当て部１０２ｂ、周壁部１０２ｃ、及び頂面部１０２ｄを有し、これらは上記の図１に示したガス発生器１と同様に構成される。また、下部シェル１０３は周壁部１０３ａと底面部１０３ｂを有し、これらにより凹状の内部空間を形成する。周壁部１０３ａの一端側に底面部１０３ｂが接続し、その他端側は下部シェル１０３の開口部となる。そして、周壁部１０３ａによる内部空間の半径は、上部シェル１０２の周壁部１０２ｃによる内部空間の半径と概ね同じである。下部シェル１０３の底面部１０３ｂには、点火器１２３が固定される孔が設けられている。
【００５０】
ここで、上部シェル１０２が下部シェル１０３に対して嵌め込まれることによって、ハウジング１０４内に閉空間が形成される。そして、この閉空間は、燃焼室１２１となる。なお、上部シェル１０２は、その突き当て部１０２ｂが後述するＯ形隔離部材１４１の鍔部１４１ａに突き当てられるまで、下部シェル１０３に対して嵌め込まれる。また、ハウジング１０４において、上部シェル１０２と下部シェル１０３の嵌合部位や接触部位は、内部に充填されるガス発生剤の防湿等のために好適な接合方法（例えば、溶接等）により接合される。ここで、ハウジング１０４は、上記の図１に示したガス発生器１と同様に、上部シェル１０２と下部シェル１０３とが上記の所定の溶接部１０４ａにおいて溶接されて一体化されてもよい。
【００５１】
そして、燃焼室１２１には、ガス発生剤１２２及び点火器１２３が配置される。更に、ガス発生剤１２２を取り囲むように環状のフィルタ１３２が配置される。なお、フィルタ１３２は、上記の図１に示したガス発生器１と同様に構成される。このときガス発生剤１２２は、燃焼室１２１内で不要に振動しないようにクッション１３１の付勢力によりフィルタ１３２、下部シェル１０３の底面部１０３ｂ等に抑えつけられた状態で充填されている。ガス発生剤１２２の燃焼温度は、１０００〜１７００℃の範囲にあることが望ましく
、例えば、硝酸グアニジン（４１重量％）、塩基性硝酸銅（４９重量％）及びバインダーや添加物からなる、単孔円柱状のものを用いることができる。また、上記の図１に示したガス発生器１と同様に、上部シェル１０２の周壁部１０２ｃとフィルタ１３２との間に間隙１３３が形成される。間隙１３３を流れる燃焼ガスは、周壁部１０２ｃに設けられたガス排出口１０５に至る。なお、アルミニウムテープ１３４によりガス排出口１０５がハウジング１０４の内部から塞がれている。
【００５２】
このような構成により、ガス発生器１００では、点火器１２３の作動によるガス発生剤１２２の燃焼によって、周壁部１０２ｃに設けられたガス排出口１０５から外部へ燃焼ガスを放出することができる。しかし、ガス発生剤１２２の群の中心がガス発生器１００の中心軸Ｚ０に概ね一致しているのに対して、点火器１２３がガス発生器１００の中心軸Ｚ０からずれて配置されている場合（これは、例えば図７に示される状態である。）には、ガス発生剤１２２の燃焼にむらが生じ、ガス発生器１００の出力特性が想定通りのものからずれる虞がある。
【００５３】
そこで、ガス発生器１００においては、燃焼室１２１内にＯ形隔離部材１４１が配置される。このＯ形隔離部材１４１は、上記の図２に示したＯ形隔離部材４１と同様に構成されており、鍔部１４１ａ、下端部１４１ｂ、及び周壁部１４１ｃを有する。そして、Ｏ形隔離部材１４１は、上記の図１に示したガス発生器１と同様に、下部シェル１０３の内壁面１０３ｃとの間に環状のガス流通空間１４２を形成する。このガス流通空間１４２は、複数の連通孔１４３のみによって燃焼室１２１と連通している。また、ガス流通空間１４２と間隙１３３は、鍔部１４１ａによって隔離されている。なお、Ｏ形隔離部材１４１が対向する下部シェル１０３の内壁面１０３ｃには、ガス排出口１０５が形成されていないため、ガス流通空間１４２を流通した燃焼生成物は、更に燃焼室１２１及び間隙１３３を流通した後にガス排出口１０５から排出されることになる。
【００５４】
そして、Ｏ形隔離部材１４１には、上記の図２に示したＯ形隔離部材４１と同様に、複数の連通孔１４３が形成されている。ここで、図８の矢印Ｃ１１に示すように、点火器１２３の近位に配置されたガス発生剤１２２ａの燃焼で生じた燃焼生成物は、燃焼室１２１内を広がるだけでなく、複数の連通孔１４３のうちの一部の連通孔（以下、「流入孔１４３ａ」と称する。）によってガス流通空間１４２内に流入せしめられる。そして、図８の矢印Ｃ１２に示すように、ガス流通空間１４２を流通した燃焼生成物は、複数の連通孔１４３のうちの他の連通孔（以下、「流出孔１４３ｂ」と称する。）によって、点火器１２３の遠位に配置されたガス発生剤１２２ｂに向かって流出せしめられる。このとき、点火器１２３の近位で生じた燃焼生成物は、その一部がガス流通空間１４２を流通する場合（これは、図８の矢印Ｃ１１、Ｃ１２によって表される。）には燃焼室１２１内を流通する場合（これは、図８の矢印Ｃ１３によって表される。）よりも、速やかに点火器１２３から遠位に拡散し得る。なぜなら、ガス流通空間１４２にはガス発生剤が充填されていないのに対して、燃焼室１２１にはガス発生剤１２２が密に充填され、燃焼室１２１では該充填されたガス発生剤１２２により燃焼生成物の流れが妨げられるからである。したがって、点火器１２３の近位で生じた燃焼生成物の一部がガス流通空間１４２を流通することによって、燃焼生成物が可及的速やかに点火器１２３の遠位に配置されたガス発生剤１２２ｂに届けられる。その結果、点火器１２３の近位に配置されたガス発生剤１２２ａだけでなく、点火器１２３の遠位に配置されたガス発生剤１２２ｂも比較的短時間で燃焼される。なお、流出孔１４３ｂは、点火器１２３から遠位であるほどその孔が大きくなるように形成されてもよい。
【００５５】
＜実施例２の変形例＞
次に、上述した実施例２の変形例について、図９から図１１に基づいて説明する。なお、本変形例において、上述した実施例１、実施例２と実質的に同一の構成については、そ
の詳細な説明を省略する。図９は、上記の図７に示したＯ形隔離部材１４１に代えて、後述するカップ形隔離部材２４１が適用されたガス発生器１００の高さ方向の断面図である。
【００５６】
図９に示すように、カップ形隔離部材２４１は、ガス発生剤１２２の群を囲むことで、下部シェル１０３の内壁面１０３ｃとの間にガス流通空間２４２を形成する。詳しくは、カップ形隔離部材２４１は、図１０に示すように、鍔部２４１ａ、点火器挿入部２４１ｂ、下端部２４１ｃ、突起部２４１ｄ、周壁部２４１ｅ、及び底面部２４１ｆを有している。そして、鍔部２４１ａ及び下端部２４１ｃが下部シェル１０３の内壁面１０３ｃと当接するように、カップ形隔離部材２４１が下部シェル１０３により形成される凹状の内部空間に配置されることによって、ガス流通空間２４２が形成される。ここで、燃焼室１２１にカップ形隔離部材２４１が配置された状態において、更に、該カップ形隔離部材２４１の底面部２４１ｆに設けられた開口を含む部位である点火器挿入部２４１ｂに点火器１２３が挿入された状態が形成されることによって、下部シェル１０３の周壁部１０３ａから底面部１０３ｂに亘ってガス流通空間２４２が形成される。また、カップ形隔離部材２４１の下端部２４１ｃとともにガス流通空間２４２（特に、カップ形隔離部材２４１の底面部２４１ｆと下部シェル１０３の底面部１０３ｂとの間の空間）を好適に形成するために、底面部２４１ｆには、突起部２４１ｄが設けられている。
【００５７】
そして、カップ形隔離部材２４１には、上記の図７に示したＯ形隔離部材１４１と同様に、複数の連通孔２４３が形成されている。この複数の連通孔２４３は、カップ形隔離部材２４１の周壁部２４１ｅ及び底面部２４１ｆに形成されている。そして、図１１の矢印Ｃ２１及びＣ２２に示すように、点火器１２３の近位に配置されたガス発生剤１２２ａの燃焼で生じた燃焼生成物の一部が、複数の連通孔２４３のうちの一部の連通孔（以下、「流入孔２４３ａ」と称する。）によってガス流通空間２４２内に流入せしめられ、複数の連通孔２４３のうちの他の連通孔（以下、「流出孔２４３ｂ」と称する。）によって、ガス流通空間２４２を流通した燃焼生成物が点火器１２３の遠位に配置されたガス発生剤１２２ｂに向かって流出せしめられる。図１１に例示されるカップ形隔離部材２４１では、点火器挿入部２４１ｂ近傍の底面部２４１ｆに設けられた連通孔が流入孔２４３ａとなり、その他の連通孔が流出孔２４３ｂとなっている。そして、このようなカップ形隔離部材２４１が適用されたガス発生器１００によっても、点火器１２３の近位で生じた燃焼生成物の一部を可及的速やかに点火器１２３の遠位に配置されたガス発生剤１２２ｂに届けることができる。その結果、点火器１２３の遠位に配置されたガス発生剤１２２ｂも比較的短時間で燃焼される。なお、流出孔２４３ｂは、点火器１２３から遠位であるほどその孔が大きくなるように形成されてもよい。
【符号の説明】
【００５８】
１          ：ガス発生器
２          ：上部シェル
３          ：下部シェル
４          ：ハウジング
５          ：ガス排出口
１０        ：分割壁
１４        ：分割壁部
１６        ：収容壁部材
２１        ：第１燃焼室
２２        ：第１ガス発生剤
２３        ：第１点火器
２５        ：第２燃焼室
２６        ：第２ガス発生剤
２７        ：第２点火器
４１        ：Ｏ形隔離部材
４２        ：ガス流通空間
４３        ：複数の連通孔
４３ａ      ：流入孔
４３ｂ      ：流出孔
【図１】
2019018826.tif 000003
【図２】
2019018826.tif 000004
【図３Ａ】
2019018826.tif 000005
【図３Ｂ】
2019018826.tif 000006
【図４】
2019018826.tif 000007
【図５】
2019018826.tif 000008
【図６】
2019018826.tif 000009
【図７】
2019018826.tif 000010
【図８】
2019018826.tif 000011
【図９】
2019018826.tif 000012
【図１０】
2019018826.tif 000013
【図１１】
2019018826.tif 000014